(57)【要約】【課題】遊泳補助浮具を使用して遊泳する利用者の身体を、常に遊泳補助浮具の中央に位置せしめる働きを得ると共に、遊泳補助浮具を使用中、利用者の身体を常に水に浸す事により、利用者と遊泳補助浮具に同時に浮力が作用する働らきが得られ、更に、利用者の上半身を常に上向きにせしめる働きがある遊泳補助浮具を得る。【解決手段】浮力の異なる幾つかの浮板の、浮力の一番小さい浮板を中央に置き、その両隣に、その次に浮力の大きい浮板を並べ置き、更にその隣に、その次に浮力の大きい浮板を並べ置き、隣り合う浮板と浮板とを、連結材でそれぞれつなぐ事により、中央から両端部にいくに従い、浮力が大きくなる一つの浮具と成し、更に連結材の長さを、浮板前部は短く、浮板後部は長くせしめ、あるいは、浮板前部の浮力は大きく、浮板後部の浮力は小さくせしめた如き構成とする。【選択図】　　　図１
2004000457.tif 000002
【特許請求の範囲】
【請求項１】
浮力の異なる幾つかの浮板の、浮力の一番小さい浮板を中央に置き、その両隣にその次に浮力の大きい浮板を並べ置き、更にその隣にその次に浮力の大きい浮板を並べ置き、中央から両端部にいくに従い浮力が大きく成るようせしめ、隣り合った浮板と浮板とを、連結材でそれぞれつなぎ、各浮板を連ねることに依り、中央の浮力は小さく、両端にいくに従い浮力が大きくなることを特徴とした浮板連結筏浮具。
【請求項２】
上記浮板と浮板とをつなぐ連結材の長さを、浮板の前部は短く、後部は長くすることに依り、浮板と浮板との間隔を前部は狭く、後部は広くしたことを特徴とした請求項１に記載した浮板連結筏浮具。
【請求項３】
上記浮板を、浮板前部の浮力は大きく、浮板後部の浮力は小さくしたことを特徴とした請求項１又は２に記載した浮板連結筏浮具。
【発明の詳細な説明】
【０００１】
【発明が属する技術分野】
本発明は、遊泳を補助する浮具に関するものである。
【０００２】
【従来の技術】
従来、遊泳を補助する浮具は、様々な形をした袋状のビニール等に空気を注入密封し浮具と成すものと、発泡スチロール等の比重の軽い材質の物を成形化し、浮具と成すものとに分類され、その利用目的に合わせ様々な形をした浮具と成しているのがほとんどである。
【０００３】
【発明が解決しようとする課題】
従来の技術で述べたもののうち、前者においては、袋状のビニール等に空気を注入密封した浮具であるため、その形状は柔軟性があり、利用者の動作や波の上下の変化にその形状を変化させ、浮具にかかる浮力の変化に対応した浮力を提供せしめる反面、岩礁等により浮具が破損しやすいことや、利用者の浮具上での動作に依る体重の移動等により、密封した空気が浮具内部で移動し、それに伴い浮具の一部分に浮力が集中し、浮具のバランスが崩れ浮具が反転、利用者が浮具から放り出される等という問題がある。
【０００４】
後者においては、浮具が成形化しているため、岩礁等による破損は少ないという利点がある反面、成形化しているため、波の変化や利用者の動きに敏感に反応しやすく、少しでも利用者のバランスが崩れると、それに伴い浮具にかかる浮力が浮具の一部分に集中し、浮具のバランスが崩れ、浮具が反転し、利用者が浮具から放り出される等という問題がある。
【０００５】
両者において共通している課題は、浮具が一枚面化していることであり、利用者自身の動きや波の変化に依り、浮具にかかる浮力のバランスが崩れると、浮具の一方向に強い浮力が発生し、利用者が浮具より放り出され、危険にさらされるということである。
【０００６】
【課題を解決するための手段】
本発明は、従来の技術の有するこの様な問題点を鑑みてなされたものであり、その目的とするところは、浮力の一番小さい浮板を中央に置き、その両隣にその次に浮力の大きい浮板を置き、その隣にその次に浮力の大きい浮板を置き、中央から両端部にいくに従い浮力の大きい浮板を位置せしめるようにし、これらを連結材でそれぞれつなぎ、筏状の浮具と成すことに依り、利用者の身体を常に浮具の中央に位置せしめ、浮具に一方向的な浮力が発生することを阻止せしめた。
【０００７】
更に幾数枚の浮板を連結することで浮具を複数面化せしめたことに依り、利用者の身体を常に水に浸しめ、浮具と同時に利用者の身体にも浮力を発生せしめた。
【０００８】
更に、浮板と浮板をつなぐ連結材の長さを、浮具の前部は短く、後部は長くすることに依り、あるいは、浮板前部の浮力は大きく、浮板後部の浮力は小さくすることに依り、利用者の上半身と下半身にかかる浮力を変化せしめ、利用者の上半身が常に上向きになるようせしめた。
【０００９】
【発明の実施の形態】
発明の実施の形態をその実施例について図面を参照して説明する。
第１図に示すのは、本発明の一実施例を示す平面図であり、浮力の異なる浮板（１）（１）’（１）”…の、浮力の一番小さい浮板（１）を中央に置き、その両隣に浮板（１）より浮力の大きい浮板（１）’（１）”を、その隣に浮板（１）’（１）”より浮力の大きい浮板（１）’”（１）””を、浮板（１）を中心に並べ置き、浮板（１）と浮板（１）’（１）”、浮板（１）’と浮板（１）’”、浮板（１）”と浮板（１）””を、浮板（１）（１）’（１）”…の前部は連結材（２）…で、後部は連結材（２）’…で、それぞれつないだものである。
【００１０】
第２図に示すのは、本発明の一実施例を示す変化平面図であり、浮板（１）（１）’（１）”…の前部をつなぐ連結材（２）…は短く、後部を結ぶ連結材（２）’…は長くしているため、逆扇の形をしている。
【００１１】
第３図に示すのは、本発明の一実施例を示す変化平面図であり、浮板前部の横幅は大きく、浮板後部の横幅は小さくしているため、浮板前部の浮力は大きく、浮板後部の浮力は小さくなる。
【００１２】
第４図に示すのは、本発明の水上における利用図の正面断面図であり、浮板連結筏浮具の中央に、利用者（４）を位置せしめた図である。
【００１３】
第５図に示すのは、本発明の水上における利用図の変化正面断面図であり、水面（Ａ）の変化等に依り、利用者（４）が浮板連結筏浮具の中央からずれた図である。この状況において利用者（４）は、浮板（１）””＋浮板（１）”と浮板（１）＋浮板（１）’との浮力の差に依り、浮力の小さい中央の浮板（１）の方向に押しやられる。この作用により利用者は、浮具の中央に位置せしめられる。
【００１４】
第６図に示すのは、本発明の一実施例を示す応用作品の平面図であり、中央の浮板（１）と、それより浮力の大きい、前後に取っ手（３）を有する浮板（１）’（１）”をそれぞれ連結材（２）でつないだ図である。利用者は取っ手（３）を掴む事により、利用時には浮具に身体を密着せしめ、より安定した浮力を得ることができる。又、利用者は、取っ手（３）を介する事で、水上での浮具への乗り降りを、容易にせしめることができる。
【００１５】
第７図に示すのは、本発明の応用作品の側面図である。
【００１６】
第８図に示すのは、本発明の応用作品の正面図である。
【００１７】
第９図に示すのは、本発明の応用作品の変化正面図である。
【００１８】
第１０図に示すのは、本発明の水上における利用側面図である。
【００１９】
【発明の効果】
以上述べてきた如く本発明は、上記のとおり構成されているので、次に記載する効果を奏する。
【００２０】
本発明は、波の上下変動や、利用者の体重移動等による浮具が受ける浮力の変化に関わらず、利用者を、常に浮具の中央に位置せしめる効果がある。
【００２１】
本発明は、浮具だけでなく利用者にも同時に浮力が働き、そのことにより、利用者は、常に浮具と一体となった、安定した浮力を、得ることができる効果がある。
【００２２】
本発明は、利用者の身体を、常に上向きにせしめる効果がある。
【図面の簡単な説明】
【図１】浮板連結筏浮具の平面図である。
【図２】浮板連結筏浮具の変化平面図である。
【図３】浮板連結筏浮具の変化平面図である。
【図４】浮板連結筏浮具の水上における利用正面断面図である。
【図５】浮板連結筏浮具の水上における変化利用正面断面図である。
【図６】浮板連結筏浮具の応用作品の平面図である。
【図７】浮板連結筏浮具の応用作品の側面図である。
【図８】浮板連結筏浮具の応用作品の正面図である。
【図９】浮板連結筏浮具の応用作品の変化正面図である。
【図１０】浮板連結筏浮具の水上における利用側面図である。
【符号の説明】
１、浮板
２、連結材
３、取っ手
４、利用者
Ａ、水面
【図１】
2004000457.tif 000003
【図２】
2004000457.tif 000004
【図３】
2004000457.tif 000005
【図４】
2004000457.tif 000006
【図５】
2004000457.tif 000007
【図６】
2004000457.tif 000008
【図７】
2004000457.tif 000009
【図８】
2004000457.tif 000010
【図９】
2004000457.tif 000011
【図１０】
2004000457.tif 000012